(57)【要約】【課題】移動無線システムにおいて、通信指令台は業務効率を向上させるため、話中時着信応答待合せ及び通話中呼の通話保留機能を有している。しかし、通信指令台の輻輳時には、話中時着信応答待合せあるいは通話保留状態にさせられた移動局無線装置は、無効に保留される事となり、又、無線回線を含め、システムの回線効率を低下させる事になり、当該システムの移動局無線装置の無効保留及び回線効率の向上が必要である。【解決手段】話中時着信応答待ち状態、あるいは通話保留状態が一定時間以上超過した場合、待ち合わせ、あるいは保留状態となっている呼を解放し、且つ、時間超過により解放したことを通信指令台に表示し、再接続が必要な場合は、簡易に再接続が可能な構成とした。【選択図】　図１１
2004104459.tif 000002
【特許請求の範囲】
【請求項１】
通信指令台と、該通信指令台に接続され通信回線の交換接続制御を行う回線制御装置と、該回線制御装置に接続される１以上の基地局無線装置と、該基地局無線装置に無線回線を介し接続される複数の移動局無線装置とを含む移動無線システムにおいて、
前記回線制御装置に、通話中の通信指令台に対し移動局無線装置から新たな呼びがあり当該通信指令台の扱者が応答するまでの着信応答待ち時間を計測する第１のタイマと、通話中の呼びを保留状態としたとき該保留状態を解除するまでの通話保留時間を計測する第２のタイマと、各々所要の設定時間が設定される第１と第２の時限設定手段とを具備し、
前記着信応答待ち時間が所要の設定時間を超過したとき、通話保留状態とした呼びの通信回線を解放するように制御することを特徴とした移動無線システム。
【請求項２】
請求項１記載の移動無線システムにおいて、
前記通信指令台に、表示手段と、所要の移動局無線装置を指定する選択手段とを備え、前記所要時間の超過により通信回線が解放された識別番号を表示装置に表示すると共に、選択手段で前記表示された識別番号の移動局無線装置を指定したとき、自動的に該移動局無線装置を呼び出すように構成することによって、待合わせ中の無効保留時間を短縮化するようにしたことを特徴とする移動無線システム。
【請求項３】
請求項２記載の移動無線システムにおいて、
前記着信応答待ちおよび通話保留状態の移動局無線装置に対し、待合わせ状態であることを示す情報を報知し、前記着信応答待ち時間および通話保留時間が所要の時間を超過する前に、通信回線を解放することを示す情報を報知するように構成したことを特徴とする移動無線システム。
【発明の詳細な説明】
【０００１】
【発明の属する技術分野】
本発明は、複数の移動局無線装置と通信指令台間で通信を行う移動無線システムに関するものである。
【０００２】
【従来の技術】
従来、実用化されている移動無線システムとして、通信指令を行う通信指令台、通信回線の交換接続制御を行う回線制御装置と、この回線制御装置の制御のもとに移動局無線装置の無線通信制御とサービスエリアの維持を行う１つあるいは複数の基地局無線装置と、この基地局無線装置を介して、通信指令台と無線通信を行う複数の移動局無線装置とから構成されるデジタル移動無線システム　（例えば、ＡＲＩＢ　ＳＴＤ−Ｔ６１標準規格準拠、平成１１年５月２７日電波産業会発行）　がある。
【０００３】
このデジタル移動無線システム（アナログ移動無線システムでも同様）では、通信指令台は、通信指令業務の効率を上げるため、通信指令台と移動局無線装置間で通信中に、当該通信指令台に他の移動局無線装置から新たな呼びがあった場合、当該呼びを呼損とせずに待合わせ状態とし、通信中の通信が終了した時点、あるいは通信中の通信を一旦保留して、新たに着呼した呼びに応答するようにしている。
【０００４】
【発明が解決しようとする課題】
前述した従来技術では、着信応答待合せ、あるいは保留状態とされた移動局無線装置は、通信指令台扱者が応答あるいは再接続処理を行うまで待合せ状態となり、この間、無線回線も待合せ状態となるため、無線回線が無効に保留される欠点があった。この欠点により、次のような問題を招来していた。
（１）話中時着信応答待合せ、あるいは通話保留状態にある移動局無線装置は保留状態となるため、その間、他の通信の発着信ができない。
（２）話中時着信応答待合せ、あるいは通話保留状態の移動局無線装置に対応する無線回線が無効に保留されるため、無線回線の使用効率が低下する。
【０００５】
本発明は、これらの問題を解決するために為されたもので、本発明の第１の目的は、移動局無線装置が無用に長時間、応答待合せ、通話保留状態になることに因る無線回線の使用効率低下を防止できる移動無線システムを提供することにある。
【０００６】
また、本発明の第２の目的は、移動局−基地局−通信指令台間の通信リンクを応答待合せ、通話保留状態から解放した後、通信指令台が空き状態に復帰した際に、先に通信リンクを解放した応答待合せ、あるいは通話保留状態とした呼を通信指令台から再接続を行う場合に簡便な操作で実現できる移動無線システムを提供する事にある。
【０００７】
【課題を解決するための手段】
本発明は、上記第１の目的を達成させるため、回線制御装置に、通話中の通信指令台に対し移動局無線装置から新たな呼びがあり当該通信指令台の扱者が応答するまでの着信応答応答待ち時間を計測する着信応答待ちタイマ（第１のタイマ）と、通話中の呼びを保留状態としたとき該保留状態を解除するまでの通話保留時間を計測する通話保留タイマ（第２のタイマ）と、各々所要の設定時間が設定される第１と第２の時限設定手段（例えば、時限設定レジスタ）とを備え、前記着信応答待ち時間が所要の設定時間を超過したとき、新たな呼びの通信回線を解放するように制御し、前記通話保留時間が所要の設定時間を超過したとき、通話保留状態とした呼びの通信回線を解放制御するようにしたものである。
【０００８】
また、本発明は、上記第２の目的を達成するため、着信応答待ちタイムアウトによって通信リンクを解放した移動局の移動局番号を通信指令台の画面に記録表示できるようにし、当該移動局番号を選択指定することにより、通信指令台から当該移動局を自動的に呼び出す事ができるようにしたものである。
【０００９】
更に、本発明は、前記第１と第２の目的を達成するため、応答待合せ中及び通話保留中は“お待ち下さい”の旨を伝えるアナウンスに接続し、また、応答待合せ、もしくは通話保留タイマがタイムアウトした際は“通信リンクを解放する”旨のアナウンスを聞かせた後、通信リンクを解放することにより、移動局扱者に回線制御装置及び通信指令台側の状態を告知するようにしたものである。
【００１０】
【発明の実施の形態】
本発明によるデジタル移動無線システムの通信リンクの解放及び再接続方法の実施の形態を説明する前に、デジタル移動無線システムの通信リンクの確立方法と通信指令台の概略の表示と制御について説明する。
【００１１】
まず、図１はデジタル移動無線システムの構成を示す図であり、１０１〜１０５はそれぞれ移動局無線装置、２０１〜２０３はそれぞれ基地局無線装置、３００は回線制御装置、４０１、４０２はそれぞれ通信指令台を示している。移動局無線装置１０１、１０２は点線で示しているように基地局無線装置２０１に位置登録しており、基地局無線装置２０１の基地局ゾーンに在圏している。同様に、移動局無線装置１０３は基地局無線装置２０２の基地局ゾーン、移動局無線装置１０４、１０５は基地局無線装置２０３の基地局ゾーンに在圏している。
【００１２】
次に図２及び図３は、移動局無線装置から個別通信で通信指令台を呼ぶ場合の通信リンクを簡易的に説明する図である。
図２は、移動局無線装置１０１と通信指令台４０１間の通信リンクが確立されている状態のところに、後から移動局無線装置１０３から通信指令台４０１を呼ぶ呼が発生したために、通信指令台４０１の話中時着信応答待ち状態になっている図を示している。移動局無線装置１０１と通信指令台４０１間は、基地局無線装置２０１と回線制御装置３００の実線部の交換接続パスを介して通信リンクが確立されている。移動局無線装置１０３と通信指令台４０１間の通信リンクは、移動局無線装置１０３と基地局無線装置２０２間の通信リンクは確立されているが、回線制御装置３００内の交換接続は点線部のパスが予約されているが、未接続の状態になっている。
図３は、図２で通信指令台４０１が先に通話していた移動局無線装置１０１を通話保留状態し、後から呼んできた移動局無線装置１０３に応答し、通話状態に遷移した状態の図を示している。移動局無線装置１０１と通信指令台４０１間の通信リンクは、移動局無線装置１０１と基地局無線装置２０１間の通信リンクは確立されているが、回線制御装置３００内の交換接続は点線部の接続が解放され、パスは予約されているが、未接続の状態になっている。移動局無線装置１０３と通信指令台４０１間は、基地局無線装置２０２と回線制御装置３００の実線部の交換接続パスを介して通信リンクが確立されている。
【００１３】
次に図４〜図８は、通信指令台の操作表示部を示しており、各表示ボタン及び各制御ボタンの機能は、図４〜図８において共通である。
まず、表示ボタン部の“個別”ボタンは通信指令台から個別通信を行う場合に使うボタンであり、“個別”ボタンを押下すると、図４に示されるように通信指令台にプリセットされた移動局個別名称及び移動局個別番号を表示する。表示された移動局番号の中から任意の呼び出したい移動局番号をカーソル（図示していない）を上下して選択し、制御ボタン部にある“通話”ボタンを押下すると、通信指令台から自動的に回線制御装置に発呼情報が送信され、通信指令台と当該移動局間の通信リンクが確立される。
“グループ”ボタンは通信指令台からグループ通信を行う場合に使うボタンであり、“グループ”ボタンを押下すると、図５に示されるように通信指令台にプリセットされたグループ名称及びグループ番号を表示する。表示されたグループ番号の中から任意の呼び出したいグループ番号をカーソル（図示していない）を上下して選択し、制御ボタン部にある“通話”ボタンを押下すると、通信指令台から自動的に回線制御装置に発呼情報が送信され、通信指令台と当該グループ番号に所属する移動局間の通信リンクが確立される。
“着信”ボタンは着信表示ランプと兼用になっており、当該通信指令台に着信呼があると、“着信”ボタンが点灯し、着信呼があることを通信指令台扱者に知らせる。通信指令台扱者が“着信”ボタンを押下すると、図６に示されるように当該通信指令台に着信している呼が表示される。表示内容は、個別通信の場合は、移動局の個別名称及び個別番号であり、グループ通信の場合は、グループ名称とグループ番号である。表示された着信番号の中から任意の応答したい番号をカーソル（図示していない）を上下して選択し、制御ボタン部にある“通話”ボタンを押下すると、通信指令台から回線制御装置に応答情報が送信され、当該呼びの通信指令台を含む通信リンクが確立される。
次に、制御ボタン部の“終話”ボタンについて説明する。“終話”ボタンを押下すると、“通話”ボタン押下により通信中の呼びを終了することが出来る。
“保留”ボタンは通信中の呼びを保留する場合に使用し、“保留”ボタン押下により保留することができる。
【００１４】
表示ボタン部の“話中”ボタンは、当該移動無線システムにおける当該通信指令台が管轄する移動局の通信中の呼びを表示する。（当該通信指令台が管轄する移動局については、別途通信指令台毎に設定できるようになっている。）
“話中”ボタンを押下すると、図７に示されるように当該通信指令台が管轄する通信中のグループあるいは個別移動局の名称および番号が表示される。表示された通信中の番号の中から、当該通信指令台から通話割込みしたい番号をカーソル（図示していない）を上下して選択し、制御ボタン部にある“割込”ボタンを押下すると、通信指令台から回線制御装置に割込み情報が送信され、当該通信中の呼びに通信指令台が割込むことができる。
【００１５】
表示ボタン部の“保留”ボタンの点灯は、先に制御ボタン部の“保留”ボタンにより通話保留状態にした個別及びグループ通信がある事を表示する。表示ボタン部の“保留”ボタンを押下すると、図８に示されるように通話保留中のグループあるいは個別移動局の名称および番号が表示される。表示された通話保留中の番号の中から、当該通信指令台扱者が再通話したい番号をカーソル（図示していない）を上下して選択し、制御ボタン部にある“通話”ボタンを押下すると、通信指令台から回線制御装置に再接続要求情報が送信され、当該通話保留中の呼びを通信指令台に再接続することができる。
【００１６】
次に、本発明によるデジタル移動無線システムの通信リンクの解放及び再接続方法の実施の形態を説明する。
【００１７】
図９及び図１０は、本発明による通信リンク解放方法を示すものであり、図９は、図２において通信指令台の話中時着信応答待ち状態にあった移動局無線装置１０３からの呼びが、着信応答待ちタイマのタイムアウトによって解放された図を示している。また、図１０は、図３において、通話保留中の状態にあった移動局無線装置１０１からの呼びが、通話保留タイマのタイムアウトによって解放された図を示している。
【００１８】
図９及び図１０において、解放された移動局無線装置−基地局無線装置間の無線回線、及び基地局無線装置−回線制御装置間の回線は、他の呼びに使用可能となり、無用に保留される事がなくなる。
【００１９】
図１１及び図１２は、本発明による再接続方式を示すものであり、図１１は着信表示画面であり、表示ボタン部“着信”ボタンの点灯により着信応答待ち状態の呼があることを知らせ、表示ボタン部“着信”ボタン押下により着信応答待ち状態の呼の名称と番号を表示することは、従来技術である図６と同じであるが、本発明にかかる着信応答待ちタイマのタイムアウトによって通信リンクが解放された呼については“解放”欄に○印（色表示する事も可能）表示している。
図１１において、“解放”欄に○印表示された着信番号の中から再呼びしたい任意の番号をカーソル（図示していない）を上下して選択し、制御ボタン部にある“通話”ボタンを押下すると、通信指令台から回線制御装置に再接続情報が送信され、当該番号の呼びを再接続する通信リンクが確立される。
【００２０】
また、図１２は、表示ボタン部の“保留”ボタンの点灯が、先に制御ボタン部の“保留”ボタンにより通話保留状態にされた個別及びグループ通信がある事を示すこと、及び、表示ボタン部の“保留”ボタン押下により通話保留中呼の名称および番号が表示されることは、従来技術である図８と同様であるが、本発明にかかる通話保留中タイマのタイムアウトによって通信リンクが解放された呼については、“解放”欄に○印（色表示する事も可能）表示している。
【００２１】
図１２において、“解放”欄に○印表示された着信番号の中から再呼びしたい任意の番号をカーソル（図示していない）を上下して選択し、制御ボタン部にある“通話”ボタンを押下すると、通信指令台から回線制御装置に再接続情報が送信され、当該番号の呼びを再接続する通信リンクが確立される。
【００２２】
以上説明したように、本発明は、通信卓指令卓に、時限タイマのタイムアウトにより通信リンクを解放した呼びを簡易に再接続する事を可能とする表示及び制御機能を設けたこと、及び、着信応答待ちタイマのタイムアウト、通話保留中タイマのタイムアウトによって、通信リンクを解放する機能を持たせたことによって、移動局無線装置を無用に保留することなく、また、無線回線の効率化を図ることが可能となる。
【００２３】
【発明の効果】
以上説明したように、本発明によれば、通信指令台の輻輳に起因する話中時着信応答待ち及び通話保留処置があっても、着信応答待ちタイマのタイムアウト、通話保留中タイマのタイムアウトによって、通信リンクを解放する機能を持たせた事、及び、通信卓指令卓に、時限タイマのタイムアウトにより通信リンクを解放した呼びを簡易に再接続することを可能とさせる表示及び制御機能を設けたことによって、以下に示すような格別優れた効果を得ることができる。
（１）通信指令台の使用効率を低下させず、通信指令台の輻輳時においても、移動無線システムの無線回線含む回線使用効率の向上を図る事が出来る。
（２）通信指令台の使用効率を低下させず、通信指令台の輻輳時においても、移動局無線装置を無用な話中状態に保留することが無くなる。
【図面の簡単な説明】
【図１】本発明の一実施形態の構成例であるデジタル移動無線システムを示すブロック図。
【図２】通信指令台が話中時着信応答待合せ状態時の通信リンクを示すブロック図。
【図３】通信指令台が通話を通話保留状態にしている時の通信リンクを示すブロック図。
【図４】通信指令台の操作表示部の一例を示す図。
【図５】通信指令台の操作表示部の一例を示す図。
【図６】通信指令台の操作表示部の一例を示す図。
【図７】通信指令台の操作表示部の一例を示す図。
【図８】通信指令台の操作表示部の一例を示す図。
【図９】本発明の一実施形態を示し、話中時着信応答待ち状態の通信リンクを解放し、通話中の通信リンクのみを示すブロック図。
【図１０】本発明の一実施形態を示し、通話保留状態の通信リンクを解放し、通話中の通信リンクのみを示すブロック図。
【図１１】本発明の一実施形態を示し、本発明の通信指令台の再接続方式による操作表示部を示す図。
【図１２】本発明の一実施形態を示し、本発明の通信指令台の再接続方式による操作表示部を示す図。
【符号の説明】
１０１、１０２、１０３、１０４、１０５−−−移動局無線装置、
２０１、２０２、２０３−−−基地局無線装置、３００−−−回線制御装置、
４０１、４０２−−−通信指令台
【図１】
2004104459.tif 000003
【図２】
2004104459.tif 000004
【図３】
2004104459.tif 000005
【図４】
2004104459.tif 000006
【図５】
2004104459.tif 000007
【図６】
2004104459.tif 000008
【図７】
2004104459.tif 000009
【図８】
2004104459.tif 000010
【図９】
2004104459.tif 000011
【図１０】
2004104459.tif 000012
【図１１】
2004104459.tif 000013
【図１２】
2004104459.tif 000014